(57)【要約】  テレビ受像器の画面１０上において、画面１０を１：６に縦方向に仮想的に分割する線と、画面１０を６：１に縦方向に仮想的に分割する線との間の領域に画像コードを表示する。【特許請求の範囲】
【請求項１】
ＮＴＳＣ方式、ＰＡＬ方式又はＳＥＣＡＭ方式のテレビ放送において、画像コードをＪＩＳ規格に定められたアスペクト比に対し、横方向に２２．５％〜２７．５％拡張してテレビ受像機上に表示することを特徴とする画像コードの電子的表示方法。
【請求項２】
画像コードのセルを構成するデータ表示パターンと背景パターンとのコントラストを７０％〜８０％にしてテレビ受像機上に表示することを特徴とする画像コードの電子的表示方法。
【請求項３】
テレビ受像器の８５％ラインとなる有効画面上において、該有効画面を１：６に縦方向に仮想的に分割する線と、該有効画面を６：１に縦方向に仮想的に分割する線との間の領域に画像コードを表示することを特徴とする画像コードの電子的表示方法。
【請求項４】
前記有効画面を１：５に縦方向に仮想的に分割する線と、５：１に縦方向に仮想的に分割する線との間の領域に画像コードを表示することを特徴とする請求項３に記載の画像コードの電子的表示方法。
【請求項５】
前記有効画面を１：４に縦方向に仮想的に分割する線と、４：１に縦方向に仮想的に分割する線との間の領域に画像コードを表示することを特徴とする請求項４に記載の画像コードの電子的表示方法。
【請求項６】
前記有効画面を１：３に縦方向に仮想的に分割する線と、３：１に縦方向に仮想的に分割する線との間の領域に画像コードを表示することを特徴とする請求項５に記載の画像コードの電子的表示方法。
【請求項７】
前記有効画面を縦方向に仮想的に等分割する中心線上の領域に画像コードを表示することを特徴とする請求項６に記載の画像コードの電子的表示方法。
【請求項８】
前記中心線上において、前記中心線の中央位置を除く領域に前記画像コードを表示することを特徴とする請求項７に記載の画像コードの電子的表示方法。
【請求項９】
ＮＴＳＣ方式、ＰＡＬ方式又はＳＥＣＡＭ方式のテレビ放送において、画像コード１セルの大きさを、テレビ受像機の２．７〜３ピクセルの大きさにして画像コードをテレビ受像機上に表示することを特徴とする画像コードの電子的表示方法。
【請求項１０】
前記画像コードの背景が白で、セル部分が黒であることを特徴とする請求項９に記載の画像コードの電子的表示方法。
【発明の詳細な説明】
【技術分野】
【０００１】
本発明は、テレビ放送とインターネット等の通信ネットワークを用いた技術とを融合させる技術に係り、特に、テレビ受像機上に画像コードを電子的表示する方法に関するものである。
【背景技術】
【０００２】
出版と放送と通信が融合され、情報がネットワークを通じて配信される時代になりつつある。個対個の情報交換では、インターネットのようなコンピュータ通信が適している。又、グローバルな、地域を問わない情報のやり取り、例えば経済ニュース等の情報の配信は、必要なときに必要なものだけを配信する非同期的なオン・デマンド方式が向いている。【０００３】
インターネットの対極にあるテレビ放送は、特定の時間を限定して全ての人々に一斉に情報を配信するリアルタイム性を活かした方式である。芸能番組や政治的な問題を取り扱う番組の放送などでは、テレビが主体になると予測され、特に、同時性が極めて重要な政治問題や戦争などについては、広域テレビ放送は重要である。【０００４】
一方、「いつでも、どこでも」というユビキタス環境では、モバイル性が重要になり、る、特にテレビ放送と携帯情報端末との融合が期待される。【０００５】
テレビ放送を受信中に注目すべきサプライ側パブリック情報を見つけても、時間の関係で、それらのＵＲＬ情報や広告情報を、オン・デマンド方式の環境に入力できない場合がある。更に、折角メモしたサプライ側パブリック情報を紛失する場合もある。又、テレビ放送から得た情報を元に、パソコンのキーボードからオン・デマンドの環境に、入力する際に間違える可能性もある。特に、今後我が国は、高齢者社会になるので、視力等の低下した老人等には、ＵＲＬ情報の視覚による読み取りや、キーボードからのオン・デマンド環境への入力は負担になるため、サプライ側パブリック情報が呈するユビキタス環境下、即ち、いつでも、どこでも、煩雑なユーザ側プライベート情報を入力しなくても、買物、資料請求、予約等のアクションを一気に完結させるシステムが待望される。【０００６】
この様な事情を鑑み、画像コード読み取り機能を有した携帯情報端末（以下において「画像コード読取型携帯端末」という。）を用いて、印刷媒体や電子表示装置を介して、事業者が提供した２次元コード等の画像コードを読み取り、これによって得られたアクセス先のネットワーク情報（ＵＲＬなど）等と、画像コード読取型携帯端末に記憶された個人情報とを編集し、この編集された情報を用い、画像コード読取型携帯端末から、インターネットを介して、電子商取引等を行う技術が提案され、印刷媒体に表示された画像コードを用いた技術が普及し始めている。【０００７】
しかしながら，テレビ放送で画面に２次元コードを貼付して放送した例は、非常に少なく、電子表示装置に表示された画像コードを読み取り、それを電子商取引等に適用する技術は未だ実用には至っていない。【０００８】
本発明者らの検討により、従来の２次元コードをテレビ画面上に表示するとテレビ画面特有の横方向のぼやけや，ハレーションが起きることが、その背景にあり、それらの原因が、テレビ画面上から２次元コードを画像コード読取型携帯端末で読み取ることを非常に困難にしているという知見を得た。
【発明の開示】
【０００９】
上記問題点を鑑み、本発明は、テレビ受像機上に、確実に読み取り可能で且つ主画面に対する専有面積を小さくして画像コードを表示し、これによりテレビ放送とオン・デマンド方式の通信方式との融合を可能にする画像コードの電子的表示方法を提供することを目的とする。
【００１０】
上記目的を達成するために、本発明の第１の特徴は、ＮＴＳＣ方式、ＰＡＬ方式又はＳＥＣＡＭ方式のテレビ放送において、画像コードをＪＩＳ規格に定められたアスペクト比に対し、横方向に２２．５％〜２７．５％拡張してテレビ受像機上に表示する画像コードの電子的表示方法であることを要旨とする。「テレビ受像機」としては、ブラウン管方式、液晶ディスプレイ（ＬＣＤ）方式、プラズマディスプレイ（ＰＤＰ）方式、プロジェクタ方式等その形式や種類を問わない。確かに、テレビ放送で画面に画像コードを貼付して放送した場合、最も問題が顕著になるのはブラウン管方式であるが、テレビ放送は、特定の時間を限定して全ての人々に一斉に情報を配信する方式であるため、あらゆる形式や種類のテレビ受像機に対応できる必要があるからである。
【００１１】
現行テレビのＮＴＳＣ方式、ＰＡＬ方式、ＳＥＣＡＭ方式でのフレームは４：３のアスペクト比である。即ち、一般的なアスペクト比は、テレビもパソコンモニタも４：３であるが、パソコンモニタの画素は正方形で、テレビの画素は横１：縦０．９程度に横長になっている。このため、印刷媒体上では１：１のデータ部のアスペクト比が横方向に拡大されて表示される。テレビ受像器、特に民生の球面ブラウン管においては、画像コード横方向の「ぼやけ」が発生する。本発明の第１の特徴に係る画像コードの電子的表示方法によれば、画像コードのアスペクト比において、横方向拡張倍率を強調した処理を行うことによって，その影響を押さえることが可能である。具体的には，ＮＴＳＣ方式のテレビ放送の場合、横方向へ２２．５％〜２７．５％引き伸ばして、アスペクト比が１：１．２２５〜１：１．２７５程度となる横長の画像コードにすることにより，横方向の「ぼやけ」の問題が解消され、画像コードの読み取り精度が向上する。
【００１２】
本発明の第２の特徴は、画像コードのセルを構成するデータ表示パターンと背景パターンとのコントラストを７０％〜８０％にしてテレビ受像機上に表示する画像コードの電子的表示方法であることを要旨とする。例えば、ＱＲコードでは、ＱＲコードを構成する最小の単位である白黒の正方形をセルというが、本発明の第２の特徴においては、この白セルと黒セルとのコントラストを７０％〜８０％にしてテレビ受像機上に表示する。
【００１３】
テレビ画面に表示するとハレーションの影響で、印刷媒体に対しては十分対応可能な画像コード読取型携帯端末でも、正常に画像コード読み取れなくなる場合がある。本発明の第２の特徴に係る画像コードの電子的表示方法によれば、その点を改善し，画像コードをハレーションの影響の少ないコントラストに設定して表示することで，テレビ画面からでも読み取りやすくする。具体的には，背景の白を灰色（暗め）にし，画像コードの表示色（例えば黒）とのコントラストを７０％〜８０％にする。これにより，ハレーションの影響を防ぐことができ，画像コードをテレビ受像器で、読み取りやすくなる。
【００１４】
本発明の第３の特徴は、テレビ受像器の画面上において、この画面を１：６に縦方向に仮想的に分割する線と、この画面を６：１に縦方向に仮想的に分割する線との間の領域に画像コードを表示する画像コードの電子的表示方法であることを要旨とする。
【００１５】
テレビ受像器の画面上、画像コードが読み取りやすい表示位置，読み取りにくい表示位置が存在する。本発明者らの実験によえば、図２に示したＡ〜Ｋの１１箇所の表示位置では、画面の縦方向中心線上の位置下端位置「Ｃ」及び上端位置「Ｊ」に表示した場合が、最も読み取り精度が高い。次に、２本存在する画面の１：３縦方向分割線上の下端位置「Ｂ」，「Ｄ」（画面の横方向の仮想的な中心線に関して位置「Ｂ」，「Ｄ」の対称となる上端位置も含む）が読み取り精度が高く、３番目は画面の中央部「Ｇ」の位置である。この様な実験的事実を検討し、本発明者らは、テレビ受像器の画面上おいて、この画面を１：６に縦方向に仮想的に分割する線と、この画面を６：１に縦方向に仮想的に分割する線との間の領域に画像コードをテレビ受像機上に表示することが好ましいという知見を得たわけである。
【００１６】
図２では、画面１０を１：３に縦方向に仮想的に分割する線と、この画面１０を３：１に縦方向に仮想的に分割する線が示されている。表示位置Ｑ及び表示位置Ｄは、画面全体を３：１に分割する縦線上にあり、表示位置Ｐ及び表示位置Ｂは、画面全体を１：３に分割する縦線上にあるので、図２に示すように、画面の横幅をＬとし、画面全体を３：１に分割する縦線と中心位置Ｇを通る中心線との距離及び画面全体を１：３に分割する縦線と中心位置Ｇを通る中心線との距離をそれぞれｄとすれば
Ｌ＝４ｄ              ・・・・・（１）
の関係となる。単純な幾何学的知識から、画面１０を１：６に縦方向に仮想的に分割する線は、画面１０を１：４に縦方向に仮想的に分割する線の左側に、画面１０を６：１に縦方向に仮想的に分割する線は、画面１０を４：１に縦方向に仮想的に分割する線の右側に位置することは、図示するまでもなく理解できる。以下の実施の形態の説明から理解できるように、より好ましくは、テレビ受像器の画面上おいて、この画面を１：５に縦方向に仮想的に分割する線と、この画面を５：１に縦方向に仮想的に分割する線との間の領域に画像コードを配置すれば良い。更に好ましくは、テレビ受像器の画面上おいて、この画面を１：４に縦方向に仮想的に分割する線と、この画面を４：１に縦方向に仮想的に分割する線との間の領域に画像コードを配置すれば良い。更に好ましくは、テレビ受像器の画面１０を１：３に縦方向に仮想的に分割する線と、この画面１０を３：１に縦方向に仮想的に分割する線との間の領域に画像コードを表示すれば良く、最も好ましくは、テレビ受像器の画面１０を縦方向に仮想的に等分割する中心線上の領域に画像コードを表示するようにすれば良い。
【００１７】
なお、画面１０を１：６に縦方向に仮想的に分割する線と、この画面を５：１に縦方向に仮想的に分割する線との間の領域に画像コードを配置しても良く、画面１０を１：６に縦方向に仮想的に分割する線と、この画面を４：１又は３：１に縦方向に仮想的に分割する線との間の領域に画像コードを配置しても良い。或いは、画面１０を６：１に縦方向に仮想的に分割する線と、この画面を１：５に縦方向に仮想的に分割する線との間の領域に画像コードを配置しても良く、画面１０を６：１に縦方向に仮想的に分割する線と、この画面を１：４又は１：３に縦方向に仮想的に分割する線との間の領域に画像コードを配置しても良い。
【００１８】
なお、テレビ受像機の仕様にかなり依存するが，必ずしもテレビ受像機が小さいから読み取り精度が低下するわけでもない．例えば，発明者らは、経験則として、特定の１４インチ平面ブラウン管の読み取りが困難であるという情報を得ている。これは、テレビ受像機の個々の特性がかなり影響する場合が存在するからである。  
本発明の第４の特徴は、ＮＴＳＣ方式、ＰＡＬ方式又はＳＥＣＡＭ方式のテレビ放送において、画像コード１セルの大きさを、テレビ受像機の２．７〜３ピクセルの大きさにして画像コードをテレビ受像機上に表示する画像コードの電子的表示方法であることを要旨とする。
【００１９】
現行テレビのＮＴＳＣ方式の走査線の本数は５２５本、フィールド数は６０／秒、駒数は３０／秒、ＰＡＬ方式の走査線の本数は６２５本、フィールド数は５０／秒、駒数は２５／秒、ＳＥＣＡＭ方式の走査線の本数は６２５本、フィールド数は５０／秒、駒数は２５／秒である。この様な状況のもと、図３に示すように、画像コード１セルの大きさを、テレビ受像機の表示画面の３ピクセル程度、即ちインターレース方式では、少なくとも１本の走査線が対応するように設計することにより、テレビ画面としての主画像に対する画像コードの占有面積を極限まで小さくし、これによりテレビ放送とオン・デマンド方式の通信方式との融合を可能にする。
【００２０】
図３の横軸は、テレビ受像機の表示画面のピクセル（アナログ放送では、縦のピクセル数＝走査線の数）で測った画像コードの大きさであり、縦軸は、誤り訂正率Ｌに設定したときのバイナリの文字数である。したがって、縦軸は英字、数字、記号の混ざり具合で、多少その数値は変化する。本発明の第４の特徴に係る画像コードの電子的表示方法によれば、図３に示すように、１セル＝約２．７ピクセルまで画像コードの占有面積を小さくしても、読み取り精度の低下は無視できる。
【００２１】
画像コード読取型携帯端末の画像コード読み取り部（カメラ）の光学系の焦点調整とテレビ受像機の表示の関係から，画像コードは、小さすぎても大きすぎても読みづらい状況が発生する。そのため，ＱＲコードの場合は、バージョン２（２５×２５セル）が最も読み取りやすい。
【図面の簡単な説明】
【００２２】
【図１】図１は、本発明の実施の形態に係る画像コードの電子的表示方法に用いる画像コードの例を示す図である。
【図２】図２は、本発明の実施の形態に係る画像コードの電子的表示方法に用いるテレビ受像機上の表示位置を説明する図である。
【図３】図３は、本発明の実施の形態に係る画像コードの電子的表示方法において、テレビ受像機上で読み取り可能な画像コードの大きさと情報量との関係を説明するグラフである。
【図４】図４は、画像コードのセル部分の色と読み取り精度の関係を説明する表である。
【図５】図５は、画像コードの表示におけるテレビ受像機上のコントラストと読み取り精度の関係を説明する表である。
【図６】図６は、画像コードにフィルタ，マスク，エフェクトをかけた場合の読み取り精度への影響を説明する表である。
【図７】図７は、画像コードの横方向への拡大率と読み取り精度の関係を説明する表である。
【図８】図８は、バージョン１のＱＲコードを１４インチ球面ブラウン管に表示した場合において、画像コードの大きさとテレビ受像機上での表示位置と読み取り精度との関係を説明する表である。
【図９】図９は、バージョン１のＱＲコードを１４インチ平面ブラウン管に表示した場合において、画像コードの大きさとテレビ受像機上での表示位置と読み取り精度との関係を説明する表である。
【図１０】図１０は、バージョン１のＱＲコードを２０インチ球面ブラウン管に表示した場合において、画像コードの大きさとテレビ受像機上での表示位置と読み取り精度との関係を説明する表である。
【図１１】図１１は、バージョン１のＱＲコードを２１インチ平面ブラウン管に表示した場合において、画像コードの大きさとテレビ受像機上での表示位置と読み取り精度との関係を説明する表である。
【図１２】図１２は、バージョン２のＱＲコードを１４インチ球面ブラウン管に表示した場合において、画像コードの大きさとテレビ受像機上での表示位置と読み取り精度との関係を説明する表である。
【図１３】図１３は、バージョン２のＱＲコードを１４インチ平面ブラウン管に表示した場合において、画像コードの大きさとテレビ受像機上での表示位置と読み取り精度との関係を説明する表である。
【図１４】図１４は、バージョン２のＱＲコードを２０インチ球面ブラウン管に表示した場合において、画像コードの大きさとテレビ受像機上での表示位置と読み取り精度との関係を説明する表である。
【図１５】図１５は、バージョン２のＱＲコードを２１インチ平面ブラウン管に表示した場合において、画像コードの大きさとテレビ受像機上での表示位置と読み取り精度との関係を説明する表である。
【図１６】図１６は、バージョン３のＱＲコードを１４インチ球面ブラウン管に表示した場合において、画像コードの大きさとテレビ受像機上での表示位置と読み取り精度との関係を説明する表である。
【図１７】図１７は、バージョン３のＱＲコードを１４インチ平面ブラウン管に表示した場合において、画像コードの大きさとテレビ受像機上での表示位置と読み取り精度との関係を説明する表である。
【図１８】図１８は、バージョン３のＱＲコードを２０インチ球面ブラウン管に表示した場合において、画像コードの大きさとテレビ受像機上での表示位置と読み取り精度との関係を説明する表である。
【図１９】図１９は、バージョン３のＱＲコードを２１インチ平面ブラウン管に表示した場合において、画像コードの大きさとテレビ受像機上での表示位置と読み取り精度との関係を説明する表である。
【図２０】図２０は、読み取り精度測定実験に用いた携帯電話端末のカメラ性能を説明する一覧表である。
【発明を実施するための最良の形態】
【００２３】
次に、図面を参照して、本発明の実施の形態を説明する。以下に示す実施の形態は、本発明の技術的思想を具体化するための装置や方法を例示するものであって、本発明の技術的思想は、これらの説明に用いた画像コード、電子表示装置、画像コード読取型携帯端末等を使用する場合に限定するものでない。本発明の技術的思想は、特許請求の範囲に記載された技術的範囲内において、種々の変更を加えることができる。【００２４】
（画像コード）
以下の本発明の実施の形態に係る画像コードの電子的表示方法の説明では、画像コードの例として２次元コードを例示するが、画像コードは、２次元コードに限定する必要はなく、図形、１次元コード、１次元コードと２次元コードとの組み合わせ等の画像コード等、種々の画像コードが使用可能である。バーコード（１次元コード）を、２次元的に積み重ねたスタックバーコード等の１次元コードと２次元コードとの中間的なコードでも、良い。【００２５】
但し、単位面積あたりの情報量の点では、２次元コードが好ましい。「２次元コード」にはデータ・マトリクス，ＱＲコード，ＰＤＦ４１７，マキシコード、ベリコード等種々のコードがあるが、以下の例では、図１に示すＱＲコードについて例示的に説明する。ＱＲコードは、ＪＩＳＸ０５１０で規格が定められており、モデル１、モデル２、マイクロＱＲコードがある。「モデル１」は、最初に作られたＱＲコードで、モデル２、マイクロＱＲの元となっているが、左上、右上、左下の３箇所に、方位決定用の四角の目玉状の切り出しマーク（位置検出要素パターン）が設けられている。モデル１には、バージョン１から１４までがＡＩＭＩ規格とされている。「バージョン」は、ＱＲコードのサイズを表す指標であり、バージョンが１上がる毎に、ＱＲコードの大きさは４セルずつ大きくなる。【００２６】
ＱＲコードの「モデル２」は、コードが大きいときの歪みに対する耐量を向上させるため、アライメントパターンを追加した構造となっている。モデル２は、バージョン１から４０までをＡＩＭＩ規格とている。図１（ａ）はモデル２のバージョン３，図１（ｂ）はモデル２のバージョン２，図１（ｃ）はモデル２のバージョン１として規定されたモデル１の変形ＱＲコードである。「変形ＱＲコード」と言う意味は、通常のモデル２のＱＲコードの周辺部、具体的には図１（ａ）〜図１（ｃ）の上部に更に、別のパターンが付加されたＱＲコードである（図１（ａ）〜図１（ｃ）の上部に付加されたパターンは削除可能である。）。図１（ｃ）に示したバージョン１はコードが２１×２１セルで、図１（ｂ）に示したバージョン２はコードが２５×２５セルで、図１（ａ）に示したバージョン３はコードが２９×２９セルで、バージョンが１上がる毎に、ＱＲコードの大きさは４セルずつ大きくなる。バージョン２以上のＱＲコードには、白セルと黒セルが交互に配置され、シンボル内のモジュール座標を決定するのに使用するタイミングパターン（位置合わせパターン）があるが、バージョン１には存在しない。タイミングパターン（位置合わせパターン）は、位置検出パターンの間所に配置され、このパターンにより、画像にある程度のひずみが生じた場合でも復号ソフトウエアが画像の座標マップを再編成することを可能とする。モデル２のバージョン４０には、数字だけなら最大７０８９文字もコード化することができる。「マイクロＱＲコード」は、基板管理などのＦＡ用途で要求の高い極小コードへの適応を図るために、ＱＲコードの切り出しシンボルを１つにして印字面積効率をＵＰしたコードである。図１（ａ）〜図１（ｃ）に示した変形ＱＲコードはＱＲコードの変形例の一例であり、ＱＲコードの周辺部に他のパターンを付加しても良い。この様な種々の変形ＱＲコード及びＱＲコードの周辺部にパターンが付加されていない２次元コードを含めて、以下の説明では「ＱＲコード」と総称する。【００２７】
ＱＲコードには、ＱＲコードの一部分が損傷した場合においてもデータを損失することがなく、復元することができるようにリードソロモン法を用いて生成された誤り訂正符号（リードソロモン符号）が含まれている。誤り訂正には、シンボルの損傷の度合いに応じた４段階のレベルＬ，Ｍ，Ｑ，Ｈを持っている。レベルＬではコード面積の約７％が損傷した場合においても、データを復元することが可能で、レベルＭではコード面積の約１５％が損傷した場合においても、データを復元することが可能で、レベルＱではコード面積の約２５％が損傷した場合においても、データを復元することが可能で、レベルＨではコード面積の約３０％が損傷した場合においても、データを復元することが可能である。【００２８】
以下の説明において使用する図１（ａ）に示すバージョン３は、誤り訂正率Ｍで、格納するデータは最後の３桁を任意の英数字として、英数，記号合わせて３１文字のデータを格納し、図１（ｂ）に示すバージョン２は、誤り訂正率Ｌで、最後の１桁を任意の英数字とし、英数，記号合わせて２０文字のデータを格納し、図１（ｃ）に示すバージョン１は、誤り訂正率Ｌで、最後の２桁を任意の英数字として、英字，記号合わせて１７文字のデータを格納している。【００２９】
（画像コード読み取り実験）
本発明者らによる予備的実験によれば、特に，球面ブラウン管においては，表示面の形状から携帯電話端末で２次元コードをとらえることが難しいという知見が得られていた。実験では，Ａ社の１４インチ球面ブラウン管、Ｍ社の１４インチ平面ブラウン管、Ｏ社の２０インチ球面ブラウン管及びＳ社の２１インチ平面ブラウン管（テレビ受像機）を使用した。【００３０】
本発明者らのこれまでの経験や予備的実験から、読み取りやすい携帯電話端末，読み取り精度が低下する携帯電話端末をそれぞれ選択し，図２０に示すような、Ｎ社製＃１，Ｆ社製＃２，Ｐ社製＃３，Ｓ社製＃４，Ｋ社製＃５，Ｏ社製＃６，Ｈ社製＃７，Ｈ社製＃８の携帯電話端末を用意した。【００３１】
そして、図２に示すように、テレビ受像機の画面１０の８５％ラインとなる有効画面１２内に、Ａ〜Ｋの１１の表示位置を選択した。即ち、有効画面１２の中心位置をＧとし、中心位置Ｇを通る画面の縦方向の仮想的な中心線上で、有効画面１２内の最上部の位置をＪとし、中心位置Ｇを通る画面の縦方向の仮想的な中心線上で、有効画面１２内の最下部の位置をＣと定義している。又、中心位置Ｇを通る画面の横方向の仮想的な中心線上で、有効画面１２内の最左部の位置をＦとし、中心位置Ｇを通る画面の横方向の仮想的な中心線上で、有効画面１２内の最右部の位置をＨと定義している。画面１０の右半分を２等分する縦方向の仮想的な中心線上で、効画面１２内の最下部の位置をＤと定義し、画面１０の左半分を２等分する縦方向の仮想的な中心線上で、効画面１２内の最下部の位置をＢと定義している。テレビ受像機の画面は対称であるので、画面の横方向の仮想的な中心線に関して位置Ｄ及びＢの対称となる表示位置Ｑ及びＰは測定を省略している。【００３２】
又、有効画面１２の右上の位置をＫ，有効画面１２の右下の位置をＥ，有効画面１２の左下の位置をＡ，有効画面１２の左上の位置をＩと定義している。図２に示すように定義されたＡ〜Ｋの１１の表示位置において、それぞれ、ＭＳコードの大きさ等を変えることで読み取り精度がどのように変わるかを検討する。【００３３】
（色の違いによる読み取り精度）
画像コードのセル部分の色を黒，赤，緑，青，紺と変化させ，読み取り精度の違いを検証した。なお，用いる画像コードの大きさは予備実験で決めたバージョン２の６０ピクセル，表示位置は図２に示した中央位置Ｇとする。【００３４】
実験結果を図４の表に示す。図４の表から，セルの色を黒から他の色に変えることによる精度，読み取りやすくなるというケースは見つからなかった。黒色を民生のテレビ受像機に出力した場合，良観察すると，赤，青などの色が滲んでしまう現象が起きた。そのため，セルの色を赤や青の単色にすることによって防げるのではないかという予想があったが，それらの色も黒と同様に滲みが起きるため，精度の向上にはならなかった。又，逆に，紺，青，緑などは逆に精度が落ちている。これらのことから，表示させる画像コードの色は，背景：白，セル部分：黒が適切であることが分かる。【００３５】
（コントラストの違いによる読み取り精度）
画像コードの表示におけるテレビ受像機上のコントラストを変化させることによる読み取り精度の検証を行った。具体的には白を黒に近づけていくことによってコントラストを１０％ずつ下げていった。なお，用いる画像コードの大きさは予備実験で決めたバージョン２の６０ピクセル，表示位置は図２に示した中央位置Ｇとする。【００３６】
実験結果を図５の表に示すが、携帯電話端末＃２においてコントラスト７０％〜８０％にすると，標準時では読むことができなかった，２０インチ球面ブラウン管に表示した場合が読めることが分かった。このことから，コントラストを７０％〜８０％に設定するのが良いことが分かった。携帯電話端末＃１についても読みやすなるという知見を得た。コントラストを下げることでハレーションを防いでいるのではないかと考えられる。【００３７】
（フィルタ，マスク，エフェクトの検証）
画像コードにフィルタ，マスク，エフェクトをかけることにより、読み取り精度の検証を行った。用いる画像コードの大きさは予備実験で決めたバージョン２の６０ピクセル，表示位置は図２に示した中央位置Ｇとした。又，コントラストを７５％とした。【００３８】
実験結果を図６の表に示す。図６の表以外にも，様々な効果を試したが，読み取り精度を向上させるようなものを見つけ出すことができなかった。画像コードは一般的な絵などの画像ではなく，セルがもともとくっきりと映し出されているため，この様な効果を入れることによって，逆に悪化させてしまう恐れが多いことを示している。【００３９】
（横方向のみを拡大させた場合）
画像コードは横方向のみを拡大しても読み取れることが多い．その性質を利用して，横方向のぼやけの対策として，横方向のみを拡大させた場合の読み取り精度を検証した。用いる画像コードの大きさは予備実験で決めたバージョン２の６０ピクセル，表示位置は図２に示した中央位置Ｇとした。又，コントラストを７５％とした。【００４０】
実験結果を図７の表に示す。横に１５％多く引き伸ばしたとき，一番読み取りやすいことが確認できる。例えば携帯電話端末＃２を用いて、２０インチの球面ブラウン管から読み取る場合，携帯電話端末＃４を用いて、２０インチの球面ブラウン管の場合，２１インチの平面ブラウン管の場合がこれにあたる。実際の作業では，コンピュータ上の縦横比の画像をテレビ上に同じ縦横比で表示させるために、縦方向を１０％縮めて表示させたが，その状態で更に横方向に１５％多く引き伸ばすことになる。この効果により横方向の滲みによる情報の欠落が防ぐことができたと考えられる。【００４１】
（大きさと表示位置）
これまで求めたパラメタで，画像コードの大きさとテレビ受像機上での表示位置を変えることで読み取り精度がどのように変わるかを検討した。なお，この実験については，バージョン１，２，３の各画像コードを使用し，コントラスト７５％，横１１５％引き伸ばしにした。又，場所については図２に示したＡ〜Ｋの１１箇所で読み取りを行った。【００４２】
事前の予備実験により，図２０に示した一覧表中、携帯電話端末＃８，携帯電話端末＃７は読み取りが困難であるとの知見が得られたので、画像コードの大きさと表示位置の最適化の実験対象から外した。実験結果を図８〜図１９の表に示した。【００４３】
図８〜図１１に示すバージョン１で実験を行った場合は，どの場合においても他のバージョンと比べて読みづらいという知見が得られた。これは，セルサイズは十分確保されているにも係わらず、携帯電話端末のカメラの特性から小さすぎて、ピントを合わせづらいためと推測できる。【００４４】
図１２〜図１５に示すバージョン２で実験を行った場合，６０ピクセルで読み取りにくくなっている。実験結果上では，６７．５ピクセル，６３．７５ピクセルの間にあまり読み取りやすさに違いは見出せないが，実際読み取り実験を行った様子では，６３．７５ピクセルは読みづらいという知見が得られた。又，６７．５ピクセルのときは，この実験の中で一番読みやすいという知見が得られた。図１２〜図１５に示す結果により，バージョン２のときは６７．５ピクセルくらいが読み取りやすいことが分かる。【００４５】
図１６〜図１９に示すバージョン３で実験を行った場合，サイズが７８．３ピクセルのときと６９．６ピクセルのときで読み取り精度が悪くなっている。更に１セルを３ピクセルとして８７ピクセルのとき，特に２０インチ球面ブラウン管で読み取りにくくなっている。これは，大きいのが一概に読み取りやすいわけではないことを示している。これより，バージョン３のときは７８．３ピクセルくらいが読み取りやすいことが分かる。【００４６】
図２に示したＡ〜Ｋの１１箇所の表示位置では、
（ａ）画面の縦方向中心線上の位置「Ｃ」，「Ｊ」に表示した場合が、最も読み取り精度が高く；
（ｂ）次に、画面の１：３分割線上の「Ｂ」，「Ｄ」（画面の横方向の仮想的な中心線に関して位置「Ｂ」，「Ｄ」の対称となる位置「Ｐ」，「Ｑ」も含む）が最も読み取り精度が高く；
（ｃ）３番目は、画面の中央部「Ｇ」の位置である、
ことが判明した。現実の運用では、テレビ受像機が配置されている環境、例えば室内照明の関係や、テレビ受像機の画面の光が上部から多く漏れるか下部から多く漏れるか等の技術的違いから、例えば画面の縦方向中心線上の位置「Ｃ」と位置「Ｊ」とを比較した場合、位置「Ｃ」における表示に位置「Ｊ」に対し優位性が生じる場合があるので、留意が必要である。【００４７】
又、テレビ受像機の仕様にかなり依存するが，必ずしもテレビ受像機が小さいから読み取り精度が低下するわけでもない．例えば，今回の実験では、１４インチ平面ブラウン管の読み取りに苦労した。テレビ受像機の個々の特性がかなり影響しているように思われる。【００４８】
（その他の実施の形態）
上記のように、本発明は上記の実施の形態によって記載したが、この開示の一部をなす論述及び図面は本発明を限定するものであると理解すべきではない。この開示から当業者には様々な代替実施の形態、実施例及び運用技術が明らかとなろう。【００４９】
又、本発明の実施の形態においては、画像コード読取型携帯端末として携帯電話端末を用いて説明したが、画像コード読取型携帯端末は携帯電話端末とは限らない。携帯電話端末の他に、画像読み取り機能を備えたＰＨＳ、ＰＤＡ、ノートパソコン、電子手帳等でも良い。又、デジタルカメラを含むカメラ、ゲーム機、カーナビゲーション機器、スキャナー、プリンタ等の電子機器でも構わない。更に、腕時計、眼鏡、ベルト、靴など身体に装着又は携行可能なものの一部に内蔵や集積化した構造でも構わない。【００５０】
更に、本発明の実施の形態においては、通信ネットワーク（インターネット）を用いた電子商取引が行われなければならないことはなく、通信ネットワークを用いた抽選やクイズの応募、広告媒体のマーケティング等に使用しても良い。【００５１】
この様に、本発明はここでは記載していない様々な実施の形態等を含むことは勿論である。したがって、本発明の技術的範囲は上記の説明から妥当な特許請求の範囲に係る発明特定事項によってのみ定められるものである。
【産業上の利用の可能性】
【００５２】
本発明は、電子商取引方法、商取引促進方法、カード物販方法、配送先指定方法、商取引決済委託方法、商取引取消方法等に関連した種々の通信ネットワークを用いた情報処理産業、コンピュータ関連産業に利用可能である。
【００５３】
例えば、通信ネットワーク経由で直接ダウンロード可能なコンテンツを、テレビ受像機の画面から携帯情報端末経由で、デジタルテレビジョン、ゲーム機、パソコン、音楽プレーヤー（ＭＰ３）などにダウンロードするような情報処理産業に利用可能である。この場合は、テレビ受像機の画面の新譜情報に、ダウンロードの指示を、そのコンテンツのＩＤやネットアドレス（ＵＲＬ）ともに表示しておけば良い。更に、指定のファイルをダウンロードするための電子商取引提供サーバにアクセスする際に、携帯情報端末経由で個人情報を同時に転送すれば、課金を同時に行うことが可能となる。即ち、電子商取引提供サーバは、指定されたコンテンツファイルを、ユーザのネット端末にダウンロードすると同時に、携帯情報端末から配信された個人情報に基づき、課金を行うことができる。
【００５４】
更には、デジタル写真を撮影記録しデジタル情報に変換し、その画像などをＨＴＭＬファイルに自動変換する機能、及び通信ネットワークに接続できる機能を持つアップロードカメラを用いて、従来の記録操作（撮影、録音）するだけで、携帯情報端末から通信ネットワーク上のウェブページの更新・追加を行うような情報処理産業に利用可能である。商店主、店員、客、通行人など多忙且つ、情報機器の使用法に慣れていない人たちが、訓練無しで、テレビ受像機の画面を介して、情報の発信、ウェブページの書き換えなどができるようになる。
【００５５】
更には、商品、サービス情報、価格、広告掲載メディアなどを画像コード化して、テレビ受像機の画面に表示しておけば、広域分散通信ネットワークを構成するコンピュータシステムに負担をかけることなく、データベース化が行われるような情報処理産業に利用可能である。即ち、データベースの素片を、テレビ受像機の画面に画像コード化して表示しておくことにより、データベースを広域にあまねく分散することができるようになる。この場合は、携帯情報端末に格納された種々の顧客情報（氏名、個人ＩＤ、配送先住所など）とテレビ受像機の画面に表示された画像コードのデータとの結合（データベースのジョイン結合操作に相当）をテレビ受像機の画面上で行うことができる。そして、完結した画像コードを、携帯情報端末を介して、指定された通信ネットワーク上のアドレスに転送することができる。この様に、テレビ受像機の画面上で完結したデータベースのレコードを直接転送するため、電子商取引提供サーバのトランザクション（情報のやり取り）が激減し、情報システム構築のコストや管理運営コストが激減する。又、画像コードのデータ形式、データの内容は、各事業者が各自で決めてよいため、データの内容、形式を標準化する必要がない。
【００５６】
更には、携帯電話番号、ホームページのＵＲＬ、電子メールアドレス、位置情報（緯度経度）などの店舗、個人、場所に関する「データ（生の情報）と操作（登録、アクセスなど）の組」を画像コード化しておけば、これらの組み合わせによって、各種登録実行サービスが簡単に行われるような情報処理産業に利用可能である。更に登録系とともに、実行系も同時に用意することにより、あらゆるアクションが実現できる。例えば、画像コードを読み取ると、そこに電話をかけ、且つ、その電話番号を本体に登録すること、及び画像コードを読み取ると指定されたホームページにアクセスし、且つそのＵＲＬが本体のブックマークに登録されるような実行系の運用も可能となる。
【００５７】
或いは、プログラム、或いは構造を持った表、選択メニュー、マトリクスなどのデータ自体を画像コード化してテレビ受像機の画面に表示しておき、それを携帯情報端末の光学的データ読取装置を用いて読み込むと実行、表示されるような情報処理産業に利用可能である。選択メニューを通信ネットワークアクセス無しに表示できるため、電子商取引提供サーバの負荷が激減する。又、テレビ受像機の画面の編集・構成も極めて簡易化することができる。具体的には、ＨＴＭＬ、ＪＡＶＡ(登録商標)、ＣＧＩ、インターネットブラウザのメソッド、ＸＭＬなどのプログラムをダイレクトに画像コード（２次元コード）化してテレビ受像機の画面に表示しておき、それを携帯情報端末の光学的データ読取装置で読みとる仕組みを実現することもできる。例えば、通販用カタログの１つのアイテムで多様なサイズ（Ｓ，Ｍ，Ｌ）と色（赤、オレンジ、ブルー、黒）という選択肢がある場合、サイズと色の３×４の表を、通常ホームページのＨＴＭＬなどに記述するようにプログラムに書き込んで画像コード化してテレビ受像機の画面に表示しておく。そして、テレビ受像機の画面上の商品画像コードを読むと、サイズと色を選択する表が、通信ネットワークアクセス無しに直接画面上に表示され、その場でユーザが希望の色とサイズを選択して発注データを画像コード内で指定された通信ネットワーク上のアドレスに送信するようにできる。この場合、選択メニューは画像コードに内蔵されているため、選択時に通信ネットワークを経由したトランザクションは発生しない。このため、事業者はその商品選択のためのホームページを商品毎に用意する必要はない。ユーザは、情報入力のトランザクションのために、通信ネットワークの応答を待つ必要がないという利点が生じる。更に、事業者は、電子商取引提供サーバの負荷が激減するメリットを享受できる。一方、ユーザは電子商取引提供サーバ負荷による、通信費負担、応答時間待ちを著しく軽減することができる。この様な仕組みは、煩雑なインターネット接続設定、ユーザ登録などの入力を伴う操作、緊急を要するアクセスと実行（例えば特定銘柄株の売買、オークションの入札、人気チケットの予約など）を、携帯情報端末を用いることにより、ワンアクションで瞬時に実行できるため、テレビ放送とインターネット等の通信ネットワークを用いた技術とを融合させることができるため、極めて有効性が高い。
【図１】
2006104198.tif 000002
【図２】
2006104198.tif 000003
【図３】
2006104198.tif 000004
【図４】
2006104198.tif 000005
【図５】
2006104198.tif 000006
【図６】
2006104198.tif 000007
【図７】
2006104198.tif 000008
【図８】
2006104198.tif 000009
【図９】
2006104198.tif 000010
【図１０】
2006104198.tif 000011
【図１１】
2006104198.tif 000012
【図１２】
2006104198.tif 000013
【図１３】
2006104198.tif 000014
【図１４】
2006104198.tif 000015
【図１５】
2006104198.tif 000016
【図１６】
2006104198.tif 000017
【図１７】
2006104198.tif 000018
【図１８】
2006104198.tif 000019
【図１９】
2006104198.tif 000020
【図２０】
2006104198.tif 000021
【国際調査報告】
2006104198.tif 000022
2006104198.tif 000023
2006104198.tif 000024
2006104198.tif 000025
2006104198.tif 000026
2006104198.tif 000027
2006104198.tif 000028
2006104198.tif 000029